(57)【要約】【課題】  自在な高さによる立体形状を表現することができ、使用する者の想像力を喚起させ得る知育玩具を提供する。【解決手段】  複数の貫通孔４を格子状に整列させてなる基部１と、基部の底面を構成する２底部と、底部と基部との中間に介在される台紙３と、基部の貫通孔に嵌入可能な複数の棒状部材５とを備える。棒状部材は、長さの異なる複数種類とする。また、少なくとも先端表面が異なる色彩を有する。台紙は、表面に形状・模様が描かれている。【選択図】  図１
2012100695.tif 000002
【特許請求の範囲】
【請求項１】
複数の貫通孔を格子状に整列させてなる基部と、この基部の底面を構成する底部と、この底部と上記基部との中間に介在される台紙と、上記基部の貫通孔に嵌入可能な複数の棒状部材とを備えたことを特徴とする知育玩具。
【請求項２】
前記棒状部材は、長さの異なる複数種類の棒状部材である請求項１に記載の知育玩具。
【請求項３】
前記棒状部材は、少なくとも先端表面が異なる色彩を有する棒状部材である請求項１または２に記載の知育玩具。
【請求項４】
前記基部は、長尺な矩形の紙材を使用したものであって、該矩形のうちの短尺方向を鉛直方向に向けつつ長尺方向を縦横に直交させてなる基部である請求項１ないし３のいずれかに記載の知育玩具。
【請求項５】
前記底部は、前記基部の底面を形成する平面部と、前記基部の外周端縁を包囲する側面部とで構成された底部である請求項４に記載の知育玩具。
【発明の詳細な説明】
【技術分野】
【０００１】
本発明は、知育玩具に関し、特に、棒状部材を貫通孔に嵌入して所定形状を完成させることのできる知育玩具に関するものである。
【背景技術】
【０００２】
従来の知育玩具の中には、基盤に穴を設け、ピン（棒状部材）を穴に差し込むことによって、地形を立体的に表現できる構成のものがあった（特許文献１参照）。この従来技術は、所望の立体形状がピン（棒状部材）の高さによって形成されるように、予め穴の深さを変化させるものであった。
【先行技術文献】
【特許文献】
【０００３】
【特許文献１】特開平１０−２３２６０２号公報
【発明の概要】
【発明が解決しようとする課題】
【０００４】
ここで、上記従来技術は、地球観測衛星等が撮影した衛生画像に基づいて、地形を立体的に表現させるものであるところ、予め所望の立体形状が選定され、当該立体形状に従って計算された深さに穴を穿設するものであった。そして、差し込むべきピン（棒状部材）は、同じ長さのものが使用されており、前記穴の深さに応じて、ピン（棒状部材）の先端の高さが変化するものであった。
【０００５】
しかしながら、上記技術は、基盤の穴に沿った所望の立体形状を表現するためのものであって、その形状は穴の深さによって決定されるものであり、これを使用するものの自由な形状を表現させるものではなかった。すなわち、何度も使用する場合、出来上がり形状は常に一定であり、異なる立体形状を表現することはできなかった。また、使用する者の自由な発想による立体形状を表現させることができず、使用する者の創造力を喚起させるものではなかった。
【０００６】
本発明は、上記諸点にかんがみてなされたものであって、その目的とするところは、自在な高さによる立体形状を表現することができ、使用する者の想像力を喚起させ得る知育玩具を提供することである。
【課題を解決するための手段】
【０００７】
そこで、本発明は、複数の貫通孔を格子状に整列させてなる基部と、この基部の底面を構成する底部と、この底部と上記基部との中間に介在される台紙と、上記基部の貫通孔に嵌入可能な複数の棒状部材とを備えたことを特徴とするものである。
【０００８】
上記構成によれば、台紙が底部と基部の中間に介在されていることから、基部の貫通孔を透過して基部の上方から台紙の表面を視認することができる。また、基部は複数の貫通孔が整列される構成であるが、底部によって底面が構成させていることから、格子状に整列された複数の有底筒状部分が複数形成されることとなり、この有底筒状部分に棒状部材を嵌入させることによって、底部から所定の高さに棒状部材を立設させることが可能となる。なお、基部と底部は固着されるものではないので、その中間に介在される台紙を交換することが可能である。
【０００９】
上記発明において、前記棒状部材が、長さの異なる複数種類の棒状部材である構成とすることができる。
【００１０】
上記構成によれば、貫通孔に嵌入される棒状部材は、その下端が底部に当接して一定の位置となるから、異なる長さに応じて、上端の位置が変化することとなる。この長さの異なる種類は、２種類でもよいが、段階的に長さを異ならせた３種、４種またはそれ以上の多種とすることができる。段階的に異なる長さの棒状部材を多種使用することにより、基部から上方に突出する棒状部材の長さを段階的に立設させることが可能となり、基部の上方に立体形状を出現させることができる。
【００１１】
また、上記各発明において、前記棒状部材が、少なくとも先端表面が異なる色彩を有する棒状部材である構成とすることができる。
【００１２】
上記構成によれば、基部の貫通孔に嵌入され、底部から立設された状態の棒状部材によって、基部の平面視において色彩を有する模様を出現させることができる。ここで、少なくとも先端表面が異なる色彩とは、適宜面積を有する先端表面に着色する場合のほか、棒状部材の全ての表面に着色する場合を包含する。従って、先端表面にみに着色する場合には、平面視においてのみ模様が出現するが、全ての表面に着色する場合には、平面視に限定されず、正面視または側面視においても模様を出現させることができる。さらに、長さが異なる棒状部材を使用する場合には、さらに、立体形状と模様を同時に出現させることができる。
【００１３】
また、上記各発明において、前記基部が、長尺な矩形の紙材を使用したものであって、該矩形のうちの短尺方向を鉛直方向に向けつつ長尺方向を縦横に直交させてなる基部である構成とすることができる。
【００１４】
上記構成によれば、複数の紙材を縦横に直交させることにより、格子状の貫通孔が規則正しく整列する基部を構成することができる。また、紙材の肉厚部分を介して貫通孔が隣接することとなり、これらの貫通孔を接近して形成させることができる。
【００１５】
さらに、上記発明において、前記底部が、前記基部の底面を形成する平面部と、前記基部の外周端縁を包囲する側面部とで構成された底部である構成とすることができる。
【００１６】
上記構成によれば、紙材を直交させた状態において、その外周端縁を包囲することによって、各紙材の位置が安定することとなり、その結果として、格子状の貫通孔の形状が安定することとなる。つまり、紙材を交差させる際には、当該交差位置の相互に切り溝を設けることが必要となり、このような相互の切り溝によって紙材を交差する場合においては、交差する相互の紙材の長尺方向の角度は自由な状態となる。そこで、各紙材の長尺方向両端の位置を確定させることによって、交差状態を直交状態に確定させることができるのである。
【発明の効果】
【００１７】
本発明によれば、基部と底部に介在される台紙の表面は、貫通孔を透過して視認できることから、当該台紙表面に予め描かれている図形等を見ながら棒状部材を貫通孔に嵌入することができる。そして、台紙は交換可能であることから、任意の図形が描かれている台紙を使用することにより、様々な図形を棒状部材で立体化させることができる。
【００１８】
また、高さが異なる棒状部材を使用することにより、基部から突出する棒状部材先端の位置を変化させることができ、また、棒状部材が色彩を有する場合には、棒状部材によって形成させる形状に色彩を施すことも可能にある。
【００１９】
このように、任意の図形を使用して、その立体形状を自在に表現することによって、当該図形をリアルに表現することができるとともに、そのような立体形状または色彩を施す形状を表現させることによって、多種多様な形状を出現させることが可能となり、使用する者の想像力を喚起させることができる。
【図面の簡単な説明】
【００２０】
【図１】本発明の実施形態を示す分解斜視図である。
【図２】（ａ）は棒状部材を嵌入する前の状態を示す平面図であり、（ｂ）は棒状部材を嵌入した状態を示す説明図である。
【図３】（ａ）はＩＩＩＡ−ＩＩＩＡ断面図であり、（ｂ）はＩＩＩＢ−ＩＩＩＢ断面図である。
【図４】他の使用形態を示す説明図である。
【発明を実施するための形態】
【００２１】
以下、本発明の実施の形態を図面に基づいて説明する。本発明の実施形態を図１に示す。この図に示すように、本実施形態は、基部１と、箱形の底部２と、この中間に介在される台紙３とを備え、さらに、基部１に形成される貫通孔４に嵌入可能な棒状部材５を備えている。
【００２２】
基部１は、長尺な矩形の紙材１１，１２を縦横に交差させて、貫通孔４を形成するものであり、両紙材１１，１２は、いずれも同じ幅寸法で設けられており、その短尺方向が鉛直方向に向けられている。そして、縦方向に長尺な複数の紙材１１ａ，１１ｂ・・・１１ｚは、それらの平面部分が平行に維持されており、これらの紙材１１ａ〜１１ｚによって、等間隔の溝状が形成され、さらに、横方向に長尺な複数の紙材１２ａ，１２ｂ・・・１２ｚが、上記縦方向の紙材１１ａ〜１１ｚに直交して交差することにより、上記溝状部分を等間隔で仕切り、断面形状が矩形（本実施形態では正方形）の貫通孔４を格子状に配置させている。
【００２３】
なお、個々の紙材１１，１２の交差位置には、予め切り溝１１Ａ，１２Ａが幅寸法の１／２の長さで設けられており、この切り溝１１Ａ，１２Ａを相互に他方の紙材１１，１２に挿入することにより、紙材１１，１２の上端縁および下端縁が揃うように構成されている。また、図は説明の便宜上、大きな形状の貫通孔を少ない数で描いているが、実際にはもっと細かな形状の貫通孔を多数に構成することが可能である。
【００２４】
底部２は、底面部２１のほかに、側面部２２，２３，２４，２５が設けられた箱形に構成されたものである。底面部２１は、台紙３と同じ大きさ（例えば、Ａ４サイズ）で構成され、側面部２２〜２５は、基部１の周囲を包囲するように構成されている。従って、台紙３は、底部２の底面部２１に密着させて底部２に配置させることができ、基部１は、当該台紙３の表面に、紙材１１，１２の下側端縁を当接させつつ、側面部２２〜２５の内側に設置することができる。なお、基部１を構成する紙材１１，１２の長尺方向の寸法は、それぞれ底部２の大きさ（例えば、Ａ４サイズ）に合わせられており、紙材１１，１２の長尺側先端縁１３，１４が底部２の側面部２２〜２５の内側に当接できるようになっている。
【００２５】
台紙３は、通常の紙片で構成される。この台紙３の表面には、所望の形状や模様が描かれている。例えば、図示のように白黒模様のパンダＰを描いた台紙３を使用することができるほかに、人物画や風景画が描かれた台紙３を使用してもよく、写真を印刷したものでもよい。
【００２６】
棒状部材５は、貫通孔４に嵌入できる断面形状を有する部材であり、本実施形態では、正方形の貫通孔４に嵌入させるために、棒状部材５の断面形状を正方形としている。なお、正方形の貫通孔４に嵌入できれば、棒状部材５の断面形状は円形であってもよく、さらには、八角形でもよいものである。さらに、本実施形態の棒状部材５は、長さを段階的に変化させた三種類の棒状部材５を例示している。短尺なもの５１、中間的なもの５２および長尺なもの５３の三種類である。これら三種類の棒状部材５１〜５３は、先端表面が黒色になっているもの５１ａ，５２ａ，５３ａと、着色されていないもの５１ｂ，５２ｂ，５３ｂとが用意されている。これにより、台紙３に描かれている形状・模様に応じて、白色部分と黒色部分とを区別して棒状部材５１ａ〜５３ｂを選択的に使用できるようになっている。
【００２７】
本実施形態は、上記のような構成であるから、底部２に台紙３を設置し、さらに基部１を底部２に設置することによって、基本構造が構築されることとなる。このときの状態を図２（ａ）に示す。この図に示すように、基部１の上方から見ると（平面視において）、紙材１１，１２の格子模様を除き貫通孔４を透過して、台紙３の形状・模様（図ではパンダＰ）を視認することができる。なお、図示では、紙材１１，１２の肉厚分を無視しているが、貫通孔４を透過して視認することができることに相違はない。
【００２８】
この状態において、基部１の上方から台紙３の図柄Ｐを見つつ、その図柄Ｐに合わせて棒状部材５を貫通孔４に嵌入させることによって、所望の立体形状を基部１の上方に出現させることが可能となるのである。
【００２９】
棒状部材５を貫通孔４に嵌入した状態を図２（ｂ）に示す。嵌入させた棒状部材は、高さを複数段階に異ならせた多数種類のものを使用し、一部の棒状部材の先端表面を黒色としている。図示のように、図柄（パンダ）Ｐの黒色部分には、先端表面が黒色のものを使用し、その他の部分には白色（無色）のものを使用することによって、図柄（パンダ）Ｐが基部１の上方に出現することとなる。このときの形状は、モザイク模様として表現されることとなる。なお、図は、説明の都合上、各棒状部材５の大きさを、比較的大きなものとして示していることから、モザイク模様の各コマが大きく、図柄に対して円滑な曲線を表現できていないが、この棒状部材５を小さくする（貫通孔も小さくする）ことによって、このモザイク模様の各コマが小さくなり、円滑な曲線を表現することが可能となるものである。
【００３０】
また、上記模様の表現と同時に、長さを異ならせることによって、上記形状が立体的となる。図３には、縦横方向の断面図を示す。この図に示すように、複数の棒状部材５が立設している状態において、各棒状部材５の長さが異なることから、リアルな形状を基部１の上方に表現することができる。つまり、異なる長さの棒状部材５は、その下端が底部３に当接することによって、同じ高さに揃うこととなり、当該棒状部材５の長さに応じて、その上端の位置が異なることとなるから、その上端の位置の変化によって、全体的に立体的な形状が構成されるのである。
【００３１】
本実施形態は、上記のような構成であることから、台紙２の表面に描かれている図形に沿って、棒状部材５を立設することによって、その棒状部材５による形状を基部１の上方に出現させることができるうえ、使用する者の感性に応じて、突出長を自在に変化させることができることから、独自の起伏を有する立体形状を表現することもできる。従って、よりリアルな立体形状を表現するために棒状部材５の高さを調整（異なる棒状部材に変更）することも可能であり、この場合は、描写的な感覚を養うことができ、個性的な立体形状を表現するために棒状部材５の高さを調整することにより、オリジナルのキャラクターを想像することも可能となる。そして、台紙３を種々変更することによって、所望の形状を立体的に表現することも可能となる。
【００３２】
他方、立体形状については、異なる使用態様も考えられる。例えば、地図などに描かれる等高線から立体形状を表現する場合である。図４は、そのような使用例を示している。図４（ａ）に示すように、台紙３の表面には等高線Ｔが描かれており、この等高線Ｔに沿って高さを変更しながら棒状部材５を立設させるのである。等高線Ｔは、連続する線で囲まれる範囲が同じ高さであるから、等高線Ｔのうち、最も外側の等高線よりも外に位置する範囲を最も低い棒状部材５を立設し、次の等高線の位置で一段階高い棒状部材５に交換し、さらに、次の等高線の位置でさらに一段階高い棒状部材５に変更するようにして、最も内側の等高線よりも内の範囲には最も高い棒状部材５を立設させるようにするのである。
【００３３】
このように、等高線Ｔに沿って異なる高さの棒状部材５を立設することによって、図４（ｂ）に示すように、等高線Ｔで描かれた形状を立体的に表現することができるのである。このように、地図等の性格上、高低差を記号で表現するものについて、具体的な立体形状に変換することができることから、地図等の記号と具体的な立体形状とを一致させるような練習になり得るものである。
【００３４】
本発明の実施形態および使用形態は上記のとおりであるが、これは、単なる一例である。すなわち、図示することができないが、多色に着色した棒状部材を使用することによって、複雑な模様の立体形状を表現することも可能であることは、本発明の趣旨から明らかである。また、予め撮影した写真等を画像編集機能により、モザイク処理することによって、台紙の表面にモザイク画が描かれたものを使用することも可能である。
【符号の説明】
【００３５】
１  基部
２  底部
３  台紙
４  貫通孔
５  棒状部材
１１，１２  紙材
１３，１４  紙材の長尺方向端縁
２１  底面部
２２，２３，２４，２５  側面部
【図１】
2012100695.tif 000003
【図２】
2012100695.tif 000004
【図３】
2012100695.tif 000005
【図４】
2012100695.tif 000006